(57)【要約】【課題】  使用者が希望する発光色にダイレクトに変更することができると同時に、その変更のための動作を使用者が希望する方法で簡易に行うことができる。【解決手段】  携帯型ライト１０は、少なくとも透光部２０を有するライト本体１２と、ライト本体１２に搭載され複数の発光色を発光することができる光源１４と、ライト本体１２の変位を検出するセンサー１６とを備える。携帯型ライト１０は、更に、センサー１６が検出したライト本体１２の特定方向への振り動作による変位に応じて特定方向への振り動作に関連付けされた発光色へ直接変更することができる発光色変更手段２８と、複数の発光色のうち任意の発光色をライト本体１２の任意の方向への振り動作に関連付けして学習する発光色学習手段３０とを備え、発光色変更手段２８は、発光色学習手段３０によって学習された固有の振り動作があった場合に複数の発光色のうち当該振り動作に対応する発光色に変更する。【選択図】        図１
2016004690.tif 000002
【特許請求の範囲】
【請求項１】
少なくとも透光部を有するライト本体と、前記ライト本体に搭載され複数の発光色を発光することができる光源と、前記ライト本体の変位を検出するセンサーとを備えた携帯型ライトにおいて、前記センサーが検出した前記ライト本体の特定方向への振り動作による変位に応じて前記特定方向への振り動作に関連付けされた発光色へ直接変更することができる発光色変更手段と、前記複数の発光色のうち任意の発光色を前記ライト本体の任意の方向への振り動作に関連付けして学習する発光色学習手段とを備え、前記発光色変更手段は、前記発光色学習手段によって学習された固有の振り動作があった場合に前記複数の発光色のうち当該振り動作に対応する発光色に変更することを特徴とする携帯型ライト。
【請求項２】
請求項１に記載された携帯型ライトであって、前記センサーは、加速度センサーであって、前記加速度センサーは、前記ライト本体の振り動作による変位の方向及び加速度を検出し、前記発光色変更手段は前記加速度センサーにより検出された前記加速度が所定値以上の値に達した場合にのみ発光させるべき前記発光色を変更することを特徴とする携帯型ライト。
【請求項３】
請求項１又は請求項２のいずれかに記載された携帯型ライトであって、前記携帯型ライトを通常モード又は変更モードのいずれかに切り替えるモード切替手段を更に備え、前記発光変更手段は、前記モード切替手段により前記変更モードに設定されている場合にのみ、前記発光色の他の前記発光色への変更が許容されることを特徴とする携帯型ライト。
【請求項４】
請求項３に記載された携帯型ライトであって、前記発光色学習手段は、前記モード切替手段により前記変更モードに設定されている場合にのみ、前記複数の発光色のうち任意の発光色を前記ライト本体の任意の方向への振り動作に関連付けして学習することを特徴とする携帯型ペンライト。
【請求項５】
請求項３又は請求項４のいずれかに記載された携帯型ライトであって、前記モード切替手段はボタンであって、前記ボタンは、前記ボタンが押されている間のみ前記変更モードとすることを特徴とする携帯型ライト。
【請求項６】
請求項３乃至請求項５のいずれかに記載された携帯型ライトであって、前記モード切替手段は、現在のモードを通知する通知部をも備えていることを特徴とする携帯型ライト。
【請求項７】
請求項１乃至請求項６のいずれかに記載された携帯型ライトであって、前記発光色学習手段は、前記複数の発光色のうち、前記ライト本体の任意の方向への振り動作に関連付けさせるべき任意の前記発光色を選択するスイッチを備えていることを特徴とする携帯型ライト。
【請求項８】
請求項７に記載された携帯型ライトであって、前記スイッチは、ディップスイッチであることを特徴とする携帯型ライト。
【請求項９】
請求項１乃至請求項８のいずれかに記載された携帯型ライトであって、前記センサーが所定時間を経過しても前記ライト本体の変位を検出しない場合には前記光源を消灯させる省電力手段をも更に備えていることを特徴とする携帯型ライト。
【請求項１０】
請求項１乃至請求項９のいずれかに記載された携帯型ライトであって、前記光源がフルカラーＬＥＤであることを特徴とする携帯型ライト。
【発明の詳細な説明】
【技術分野】
【０００１】
本発明は、例えば、イベントやライブの会場で参加者、観覧者が使用したり、パトロールや交通誘導等の際に使用することができる小型の携帯型ライトの改良に関し、特に、使用者自らが好みの設定に簡易に変更することを可能とすることに関するものである。
【背景技術】
【０００２】
例えば、コンサート等のライブ会場においては、会場を盛り上げたり、参加者の一体感を出したり、演出等のために、発光させながら使用者が手に持って振ることができる小型の携帯型ライトが使用される。この携帯型ライトは、これまで、１回限りの使用で耐用期限を迎えたり、また、大光量で発光させた場合には発光持続時間が短い等の問題も抱えていたため、近年は、乾電池を電源として駆動し、光源としてＬＥＤを使用したものが普及してきている。
【０００３】
これらのＬＥＤを光源として使用した携帯型ライトにおいては、複数の発光色を発光することができ、これらの発光色を変更することができるものも存在する。具体的には、携帯型ライトに加速度センサー等を搭載して、加速度センサーが携帯型ライトの変位を検知した場合に発光色を変更することが提案されている（例えば、特許文献１）。しかし、従来行われていた発光色の変更は、その殆どが、発光色の変更ローテーションが予め決定されており、使用者が携帯型ライトを振る度ごとに（あるいは、発光色変更ボタンを押す度に）、例えば、赤、青、緑等の予め決められた順に発光色を順次変更させていくものであり（例えば、特許文献１の段落００１２等参照）、現在の発光色から使用者が望む発光色にダイレクトに変更をすることができず、所望の発光色に辿り着くまで手間と時間を要する問題があった。
【０００４】
また、例えば、右への振り動作で赤、左への振り動作で青等のように、所定の振り動作に関連付けて対応する任意の発光色にダイレクトに変更することができたとしても、この場合、使用者は、製造段階等でメーカー側が予め設定した振り動作と発光色との関連付けを記憶乃至は確認しなければならず、変更に非常に手間を要すると共に、例えば、使用者が希望する振り動作や、また、よく使用する発光色や好みの発光色については、簡単な動作や好みの動作で変更したい等のユーザーの要望に対応することができず、使用者の希望する使い勝手の良い携帯型ライトとすることができない問題も生ずる。
【０００５】
更に、このように携帯型ライトの振り動作による変位を検出して発光色を変更すると、このような携帯型ライトが、元来が振って使用されるものであるため、通常の使用時において発光色を変更する意思がないにもかかわらず、所定の振り動作により、使用者が知らない間に予期せず発光色が変更されてしまうおそれがある。
【先行技術文献】
【特許文献】
【０００６】
【特許文献１】特開２００２−２０３４０１号公報
【発明の概要】
【発明が解決しようとする課題】
【０００７】
本発明が解決しようとする課題は、上記の問題点に鑑み、使用者が希望する発光色にダイレクトに変更することができると同時に、その変更のための動作を使用者が希望する方法で簡易に行うことができる携帯型ライトを提供することにある。
【課題を解決するための手段】
【０００８】
本発明は、上記の課題を解決するための第１の手段として、少なくとも透光部を有するライト本体と、このライト本体に搭載され複数の発光色を発光することができる光源と、ライト本体の変位を検出するセンサーとを備えた携帯型ライトにおいて、センサーが検出したライト本体の特定方向への振り動作による変位に応じて特定方向への振り動作に関連付けされた発光色へ直接変更することができる発光色変更手段と、複数の発光色のうち任意の発光色をライト本体の任意の方向への振り動作に関連付けして学習する発光色学習手段とを備え、発光色変更手段は、発光色学習手段によって学習された固有の振り動作があった場合に複数の発光色のうち当該振り動作に対応する発光色に変更することを特徴とする携帯型ライトを提供するものである。
【０００９】
本発明は、上記の課題を解決するための第２の手段として、上記第１の解決手段において、センサーは、加速度センサーであって、この加速度センサーは、ライト本体の振り動作による変位の方向及び加速度を検出し、発光色変更手段は加速度センサーにより検出された加速度が所定値以上の値に達した場合にのみ発光させるべき発光色を変更することを特徴とする携帯型ライトを提供するものである。
【００１０】
本発明は、上記の課題を解決するための第３の手段として、上記第１又は第２のいずれかの解決手段において、携帯型ライトを通常モード又は変更モードのいずれかに切り替えるモード切替手段を更に備え、発光変更手段は、モード切替手段により変更モードに設定されている場合にのみ、発光色の他の発光色への変更が許容されることを特徴とする携帯型ライトを提供するものである。
【００１１】
本発明は、上記の課題を解決するための第４の手段として、上記第３の解決手段において、発光色学習手段は、モード切替手段により変更モードに設定されている場合にのみ、複数の発光色のうち任意の発光色をライト本体の任意の方向への振り動作に関連付けして学習することを特徴とする携帯型ペンライトを提供するものである。
【００１２】
本発明は、上記の課題を解決するための第５の手段として、上記第３又は第４のいずれかの解決手段において、モード切替手段はボタンであって、このボタンは、ボタンが押されている間のみ変更モードとすることを特徴とする携帯型ライトを提供するものである。
【００１３】
本発明は、上記の課題を解決するための第６の手段として、上記第３乃至第５のいずれかの解決手段において、モード切替手段は、現在のモードを通知する通知部をも備えていることを特徴とする携帯型ライトを提供するものである。
【００１４】
本発明は、上記の課題を解決するための第７の手段として、上記第１乃至第６のいずれかの解決手段において、発光色学習手段は、複数の発光色のうち、ライト本体の任意の方向への振り動作に関連付けさせるべき任意の発光色を選択するスイッチを備えていることを特徴とする携帯型ライトを提供するものである。
【００１５】
本発明は、上記の課題を解決するための第８の手段として、上記第７の解決手段において、スイッチが、ディップスイッチであることを特徴とする携帯型ライトを提供するものである。
【００１６】
本発明は、上記の課題を解決するための第９の手段として、上記第１乃至第８のいずれかの解決手段において、センサーが所定時間を経過してもライト本体の変位を検出しない場合には光源を消灯させる省電力手段をも更に備えていることを特徴とする携帯型ライトを提供するものである。
【００１７】
本発明は、上記の課題を解決するための第１０の手段として、上記第１乃至第９のいずれかの解決手段において、光源がフルカラーＬＥＤであることを特徴とする携帯型ライトを提供するものである。
【発明の効果】
【００１８】
本発明によれば、上記のように、センサーが検出したライト本体の特定方向への振り動作による変位に応じて特定方向への振り動作に関連付けされた発光色へ直接変更することができるため、手間と時間を要することなく使用者が希望の発光色に簡易に変更することができる実益がある。
【００１９】
この場合、本発明によれば、上記のように、複数の発光色のうち任意の発光色をライト本体の任意の方向への振り動作に関連付けして学習する発光色学習手段をも備えているため、使用者は、例えば、良く使用する発光色や好みの発光色を、自らが考えた固有の振り動作に関連付けて記憶させることができるため、簡易に好みの仕様に設定して、取扱説明書を参照したり初期設定を記憶等することなく、自らの希望に沿った使用をすることができるので、より一層簡易に発光色を変更することができると同時に、使用者にとってオリジナルの仕様であるという満足感を与えることもできる実益がある。
【００２０】
また、本発明によれば、上記のように、発光色変更手段は、加速度センサーにより検出された加速度が所定値以上の値に達した場合にのみ発光させるべき発光色を変更するため、変位の方向を正確に特定できないような曖昧な動作で、意図せず発光色が変更されるのを防止することができると同時に、一方で、発光色を変更する場合には、明確な振り動作をすることを促して、意図した発光色への変更を達成することができる実益がある。
【００２１】
この場合、更に、本発明によれば、上記のように、モード切替手段により変更モードに設定されている場合にのみ、発光色の変更や、発光色の学習を行うことができるため、通常の使用時における振り動作によって、予期せず発光色が変更されるのを防止することができる実益がある。
【００２２】
また、本発明によれば、上記のように、センサーが所定時間を経過してもライト本体の変位を検出しない場合には光源を消灯させるため、無駄な発光を防止して、電源の消耗等を抑制して、長時間にわたって適正に使用することができる実益がある。
【図面の簡単な説明】
【００２３】
【図１】本発明の携帯型ライトの一部破断側面図である。
【図２】本発明の携帯型ライトの平面図である。
【図３】本発明に用いられる発光色変更手段及び発光色学習手段の系統図である。
【図４】本発明に用いられる発光色変更手段による発光色の変更の際に基準となる発光色と振り動作との関連（初期設定）を例示する図である。
【図５】本発明に用いられる発光色学習手段における変更すべき発光色を選択するスイッチの状態を示す概念図である。
【図６】本発明に用いられる発光色学習手段によって発光色の学習をする状態を示す概念図である。
【図７】本発明に用いられる発光色学習手段によって、発光色と振り動作との関連付けを学習させる状態を示すフローチャート図である。
【発明を実施するための形態】
【００２４】
本発明を実施するための形態を図面を参照しながら詳細に説明すると、図１及び図２は、本発明の携帯型ライト１０を示し、この携帯型ライト１０は、図１及び図２に示すように、ライト本体１２と、このライト本体１２に搭載され複数の発光色を発光することができる光源１４と、ライト本体１２の変位を検出するセンサー１６とを備えている。
【００２５】
（１．ライト本体）
ライト本体１２は、図１及び図２に示すように、使用に際して把持される把持部１８と、この把持部１８に取り付けられて光源１４から発光された光を外部に向けて透過させる透光部２０とから成り、図示の実施の形態では、把持部１８の上端に透光部２０が取り付けられて全体としてスティック状の形状を有している。但し、ライト本体１２の形状に特に限定はなく、他に、例えば、円弧状やリング状、ハート状、Ｕ字状等の曲線部分が存在する形状や、Ｖ字形やコ字形等の形状とすることもでき、また、少なくとも透光部２０を有すればよく、ライト本体１２全体が発光（透光）する形態とすることもできる。
【００２６】
（２．把持部）
把持部１８には、図１に示すように、電源２２と、この電源に接続されて駆動する中央処理部２４と、光源１４と、センサー１６とが内蔵されている。なお、この把持部１８は、ＡＢＳ樹脂等の比較的軽量でありながら強度の高い樹脂製材料や金属製材料から形成することができる。
【００２７】
（３．電源）
電源２２としては、繰り返しの使用に対応できるように、バッテリーや乾電池等の充電又は交換可能な駆動源を用いることが望ましい。また、この電源２２は、充電や交換を容易に行うため、図１に示すように、外部からアクセスし易い把持部１８の端部（下端）に設けられる。なお、この電源２２は、図３に示すように、電源スイッチ２６によりオンオフされて駆動又は停止状態とされる。
【００２８】
（４．光源）
光源１４は、図１に示すように、把持部１８に支持されつつ、少なくとも、発光素子が透光部２０に臨み、発光素子からの発光を透過部２０を通じて外部に発光できるよう、把持部１８と透光部２０とに跨って設置されている。この光源１４としては、例えば、フルカラーＬＥＤを使用することができる。このフルカラーＬＥＤは、赤、緑、青の３色（ＲＧＢ）のＬＥＤ素子を備え、各色のＬＥＤ素子の明るさを制御することにより、複数の発光色で発光させることができる。この場合、実際に目に見える発光色としては、ＬＥＤ素子自体の明るさ（発光）のみならず、透光部２０の色彩や透過率等も考慮の上、調整することができる。
【００２９】
（５．センサー）
また、センサー１６は、ライト本体１２のうち、ライト本体１２の変位を検出しやすい位置に配置される。具体的には、センサー１６は、図１に示すように、把持部１８の上端（透光部２０側の端部）寄りに設置される。これは、使用者が把持部１８を把持して携帯型ライト１０を振る場合、把持部１８の下端側（透光部２０とは反対側の端部）は、いわば揺動の支点となって変位量がそれ程大きくならないおそれがあるため、より先端側（上端側）に設置することにより変位を確実に検出することができるからである。その意味で、センサー１６は、必ずしも把持部１８内に設ける必要はなく、発光状態に影響を与えなければ、把持部１８からより遠い距離にあって変位幅が大きい透光部２０の先端等に設けることも妨げられない。
【００３０】
このセンサー１６としては、２軸（Ｘ軸（横）、Ｙ軸（縦））又は３軸（Ｘ軸（横）、Ｙ軸（縦）、Ｚ軸（前後））の加速度センサーを使用することが望ましい。この２軸又は３軸の加速度センサーによって、ライト本体１２の振り動作による変位の方向及び加速度を検出して、図１及び図３に示すように、その情報を中央処理部２４へ伝達する。
【００３１】
（６．透光部）
一方、透光部２０は、透光性を有するポリエチレンテレフタレート（ＰＥＴ）等の樹脂製材料から形成される。また、この透光部２０は、図示の実施の形態では、図１及び図２に示すように、中空の有底円筒状の形状を有しているが、その形状に特に限定はなく、他に例えば、角柱状の形状等とすることもできる。また、この透光部２０は、必ずしも全体が透光性を有する必要はなく、例えば、発光効率を向上させると共に発光形状を定義づけるため、先端（把持部１８とは反対側の端部）の内面（有底円筒形状の底面）に図示しないリフレクタ等を設置して、円筒状の透光部２０の周面のみから発光するように設定することもできる。なお、この透光部２０は、螺合や嵌合等により把持部１８に着脱自在に取り付けることが望ましい。これにより、把持部１８内に簡単にアクセスして、内部の修理や保守を容易に行うことができる。
【００３２】
（７．中央処理部）
中央処理部２４は、ＣＰＵやメモリ、ＬＥＤの制御回路から構成され、図３に示すように、センサー１６が検出したライト本体１２の特定方向への振り動作による変位に応じて特定方向への振り動作に関連付けされた発光色へ直接変更することができる発光色変更手段２８と、複数の発光色のうち任意の発光色をライト本体１２の任意の方向への振り動作に関連付けして学習する発光色学習手段３０とを備えている。
【００３３】
（８．発光色変更手段）
発光色変更手段２８は、図４に示すように、複数の発光色毎に、各々対応するライト本体１２の特定方向への振り動作に関連付けして中央処理部２４内のメモリに記憶しておく。具体的には、図示の実施の形態では、図４に示すように、光源１４であるフルカラーＬＥＤの調光により、桃、赤、青、白、黄緑、濃桃、エメラルド緑、橙、緑、黄、ラベンダー、水色の全１２色を設定した上で、各色毎にライト本体１２の振り動作による変位の方向と関連付けしている。
【００３４】
具体的には、ライト本体１２の振り動作による変位の方向を、例えば、横方向（左右）への変位をＸ軸として、使用者から見て右方向への変位を「＋」、左方向への変位を「−」と規定し、一方、縦方向（上下）への変位をＹ軸として、使用者から見て上方向への変位を「＋」、下方向への変位を「−」と規定した上で、各方向への変位又はその組合せにより、ライト本体１２の振り動作による変位の方向を特定する。即ち、例えば、図４を例に説明すると、「桃」であれば「Ｘ＋」を関連付けることにより、ライト本体１２の右の横方向への振り動作による変位があった場合に、他の色から「桃」へ変更する指令と把握して、中央処理部２４の制御回路を光源１４であるフルカラーＬＥＤの発光色を「桃」にて発光させる。
【００３５】
なお、この場合、図４における桃、赤、青、白の各色は、Ｘ又はＹの一方向への変位との関連でのみ特定されているが、これは、特定されていない他方向への変位が、「０」であることを意味する。例えば、上記の通り、「桃」の場合には「Ｘ＋」であるが、これは同時にＹ軸（上下）への変位が「０」であって、横方向への変位のみで判断されることを意味する。但し、人間の振り動作においては、完全に水平方向へのみ変位させることは殆ど不可能であるため、センサー１６により検出された方向には、ある程度の幅を持たせて、しきい値を設定し、そのしきい値を超えた場合のみ他の方向（他のＸ軸、Ｙ軸）への変位であると判断させることができる。
【００３６】
また、図４における設定のうち、黄緑、濃桃、エメラルド緑、橙までの４色は、Ｘ軸とＹ軸の異なる方向への変位の組合せにより特定されている。これは、具体的には、例えば、「黄緑」であれば「Ｘ＋、Ｙ−」と関連付けることにより、右への横方向と下への上下方向への２方向への変位により黄緑であることを特定することを意味する。この場合、例えば、「Ｘ＋」と「Ｙ−」の変位が同時に検出された場合には、これらのベクトルの合成、即ち、「右斜め下」への振り動作と判断することができる。これとは異なり、「Ｘ＋」の変位と「Ｙ−」の変位とが、「Ｘ＋」への変位、次いで、「Ｙ−」への変位と、時間的なズレをもって検出された場合には、「右」へ、次いで、「下」への２回の振り動作であると判断することができる。黄緑から橙までの４色のように、異なる２方向への変位を条件としている場合には、同時に検出され場合のみ当該色への変更と設定することもできるし、タイムラグをもって検出された場合のみ当該色への変更と設定することもでき、いずれに設定するかは任意である。
【００３７】
なお、この場合、これらの振り動作を検出するタイミングは、後述するモード切替手段３２が、変更モードとなっている間の動作のみで判断し、例えば、変更モードとなっている間に「Ｘ＋」への変位しか検出されなかった場合には「桃」と判断し、その後、「Ｙ−」の変位があっても「黄緑」とは判断しない。対して、変更モードとなっている間に、「Ｘ＋」と「Ｙ−」の変位が検出された場合には、上記のように、「黄緑」と判断させることができ、これにより発光させるべき発光色を特定することができる。
【００３８】
一方、図４における設定のうち、緑、黄、ラベンダー、水色の４色は、同方向への変位の組合せで特定されている。この場合、同方向へは、「＋」と「−」の異なる方向へ同時に変位することはできないため、例えば、図４における「緑」であれば、「Ｙ＋」の後に「Ｙ−」の変位、即ち、「上」へ、次いで、「下」への２回の振り動作により、緑であると判断される。なお、各発光色に関連付けるべき振り動作は、必ずしも１回又は２回とは限らず、必要上に複雑になり使用者にとって難解なものとならなければ、３回以上の振り動作による変位から発光色を特定する設定とすることもできる。
【００３９】
このように、発光色変更手段２８により、センサー１６が検出したライト本体１２の特定方向への振り動作による変位に応じて特定方向への振り動作に関連付けされた発光色へダイレクトに変更することができるため、手間と時間を要することなく使用者が希望の発光色に簡易に変更することができる。特に、ボタン式の変更手段と異なり、コンサート会場等の比較的手元が暗い場所でもボタンを確認しながら操作をすることなく発光色を変更することができる点で有利である。
【００４０】
この場合、図４に示す実施の形態では、比較的動かしいやすく、また、実際に振り動作として行われることが多いＸ軸（横）、Ｙ軸（縦）の２軸方向のみを問題としたが、センサー１６として、３軸加速度センサーを使用している場合には、更に、Ｚ軸、即ち、使用者から見て前後の方向への変位も加味して、ライト本体１２の振り動作による変位と発光色とを関連付けすることもできる。なお、Ｘ軸、Ｙ軸の２軸のみで特定する場合には、センサー１６として、２軸加速度センサーを使用することもできるし、図示の実施の形態のように、３軸加速度センサーを使用した上で、Ｘ軸とＹ軸とで振り動作により変位の「方向」を、Ｚ軸は、変位の方向ではなく、変位の「加速度」、即ち、振りの強さの検出に使用して、発光色を特定することもできる。
【００４１】
また、この場合、発光色変更手段２８は、センサー１６により検出された加速度が、予め設定された所定値以上の値に達した場合にのみ発光させるべき発光色を変更する。これにより、変位の方向を正確に特定できないような曖昧な動作で、意図せず発光色が変更されるのを防止することができると同時に、一方で、発光色を変更する場合には、明確な振り動作をすることを促して、意図した発光色への変更を達成することができる。
【００４２】
（９．モード切替手段）
また、本発明の携帯型ライト１０は、図１乃至３に示すように、携帯型ライト１０を通常モード又は変更モードのいずれかに切り替えるモード切替手段３２を更に備えている。ここに、「通常モード」とは、通常の携帯型ライト１０としての使用時、即ち、携帯型ライト１０を発光させ、また、発光させながら振り動作等を行う状態のモードをいう。一方、「変更モード」とは、上述した発光色変更手段２８により、発光させるべき発光色を変更する場合の設定すべき態様を指す。この場合、発光変更手段２８は、このモード切替手段３２により変更モードに設定されている場合にのみ、発光色の他の発光色への変更が許容される。これにより、通常の使用時における振り動作によって、予期せず発光色が変更されるのを防止することができる。
【００４３】
このモード切替手段３２は、図１に示すように、トリガーボタン３２Ａと、このトリガーボタン３２Ａが引かれることにより発光色変更手段２８へ通電して発光色変更手段２８を作動状態とするトリガースイッチ３２Ｂとから成っている。具体的には、トリガーボタン３２Ａは、通常では、図示しないスプリング等により通常モードとなる位置に付勢されており、この付勢力に抗してトリガーボタン３２Ａを引くことにより、トリガースイッチ３２Ｂが発光色変更手段２８への回路的に通電を行い、発光色変更手段２８が作動することができる。従って、携帯型ライト１０は、このトリガーボタン３２Ａが押されている間のみ変更モードとなり、トリガーボタン３２Ａを解放することにより、自動的に通常モードに戻る。
【００４４】
換言すれば、携帯型ライト１０は、トリガーボタン３２Ａを操作しない限り、基本的に通常モードであり、使用者が敢えて意識してトリガーボタン３２Ａに指をかけて意図して引いた場合のみ、変更モードとなるため、使用者が意図せず誤って変更モードとなってしまうことを防止することができる。即ち、携帯型ライト１０は、使用者が把持部１８を把持して振るものであるため、トリガーボタン３２Ａの形状とすれば、わざわざトリガーボタン３２Ａに指をかけない限り発光色が変更されることはないため、通常の使用時に誤って発光色変更手段２８が誤動作することを防止することができると同時に、発光色変更手段２８により発光色を変更する場合にもライト本体１２を振る動作が必要となるため、トリガーボタン３２Ａとすることにより、振る動作をしながら同時に容易に操作することもできる。
【００４５】
一方で、モード切替手段３２は、このトリガーボタン３２Ａから指を放すだけで自動的に通常モードに戻ることができる。このため、例えば、使用者自らがスイッチを上下又は左右に移動させてどちらかのモードへ切り替えるようなモード切替手段と異なり、変更モードから通常モードへ戻すのを忘れたまま、使用することを防止することができる。特に、上記のように、発光色変更手段２８においては、変更モードとなっている間に特定された動作によって、発光色との関係を関連付けるため、振り動作をしながら変更モードを終了させる必要があり、そのためにも、指を放すだけで、変更モードを終了させることが重要な要素となる。但し、モード切替手段３２は、トリガーボタン３２Ａを操作している（引いている）間だけ変更モードとする態様に限定されるものではなく、他に、例えば、最初のボタン操作で変更モードとし、次に行われるボタン操作で変更モードを解除する設定とすることもできる。
【００４６】
また、このモード切替手段３２は、使用者に現在のモードを通知する図示しない通知部も備えている。この通知部としては、具体的には、把持部１８の一部に現在のモードを表示する図示しないユーザーインターフェース、例えば、表示ランプ等を設置することにより、使用者が現在のモードを視覚的に確認することができるように設定することができる。この場合、例えば、変更モードの場合のみ表示ランプが点灯する形態や、通常モードでは「青」、変更モードでは「赤」などを表示する表示ランプの形態とすることもできる。また、このような視覚的な通知に限定されるものではなく、モードが切り替わったことを知らせる通知音等を発生させることにより、使用者に聴覚的に現在のモードを通知することもできる。
【００４７】
（１０．発光色学習手段）
上述した図４に示す複数の発光色とライト本体１２の振り動作による変位の方向との関連付けは、いわば製造時又は工場出荷時等の初期設定である。このため、例えば、動かしやすい又は覚えやすい振り動作と、好みの又はよく使用する発光色とが対応しているわけではなく、使用者にとっては、好みの又はよく使用する発光色については、自分にとって動かしやすい又は覚えやすい振り動作と関連付けて変更させることができれば、非常に使い勝手が良く、簡易に好みの仕様に設定して、取扱説明書を参照したり、初期設定を記憶等することなく、自らの希望に沿った使用をすることができるので、より一層簡易に発光色を変更することができると同時に、使用者にとってオリジナルの仕様であるという満足感を与えることもできる。
【００４８】
このため、本発明の携帯型ライト１０においては、図３に示すように、中央処理部２４において設定された発光色学習手段３０により、複数の発光色のうち任意の発光色をライト本体１２の任意の方向への振り動作に関連付けして学習することができる。この場合、発光色学習手段３０は、図３に示すように、複数の発光色のうち、ライト本体１２の任意の方向への振り動作に関連付けさせるべき任意の発光色を選択するスイッチ３１を備え、このスイッチ３１により特定された発光色の、当該色への変更のための振り動作を、図４に示す初期設定値から使用者自らが希望する任意の振り動作に変更することができる。
【００４９】
このスイッチ３１としては、具体的には、図５に示すように、中央処理部２４に電気的に接続されたディップスイッチを使用することができる。このディップスイッチは、把持部１８内に内蔵され、通常では、図示しない蓋等により覆われているが（従って、通常は誤って操作されない）、発光色を振り動作に関連付けて学習させる場合には、この蓋を取り外して外部から操作可能な状態として、ペン先等の先尖状の物体で操作する。具体的には、図５に示すように、このディップスイッチは、複数の、図５に示す実施の形態では４つのスライドスイッチ（又はプッシュロックスイッチでも良い）を備え、これらの４つのスライドスイッチは、通常時、即ち、いずれの発光色についても、関連付けされる振り動作を変更しない場合には、「００００」に設定されており、いずれかのスライドスイッチを「１」に入力することにより、関連付けるべき振り動作を学習すべき発光色を特定することができる。具体的には、例えば、図５に示す実施の形態では、４つのスライドスイッチを、「０００１」とした場合には「桃」、「００１０」とした場合には「赤」を学習すべき発光色等として特定する。なお、４つのスライドスイッチの全てを操作して「１１１１」として再起動等した場合には、これまで学習した発光色と特定の振り動作との関連付けをリセットして、図４に示す初期設定値に戻すことができる。
【００５０】
次に、このようにして、関連付けるべき振り動作を学習すべき発光色を特定した上で、当該発光色について、使用者が関連付けさせたい振り動作を行って、中央処理部２４のメモリを書き換えて記憶する。この場合、関連付けるべき振り動作を確実に特定できるよう、上述した発光色変更手段２８と同様に、この発光色学習手段３０も、モード切替手段３２により変更モードに設定されている場合にのみ、複数の発光色のうち任意の発光色をライト本体１２の任意の方向への振り動作に関連付けして学習することができる。
【００５１】
具体的には、図６に示すように、例えば、「赤」に関連付けるべき振り動作を変更する場合、まず、図５に示すようにディップスイッチを「００１０」とし、次いで、モード切替手段３２のトリガーボタン３２Ａを引いた状態で、使用者が関連付けたい振り動作を実際に行い、動作終了時にトリガーボタン３２Ａを放して学習を終了させる。この変更モードであった最中の振り動作による変位の方向を、センサー１６により検出してＸ軸とＹ軸により特定して、当該データを、「赤」に関連付けしてメモリに記憶して、「赤」に関連付けされた振り動作を更新する。例えば、図６に示す振り動作を行った場合には、最初の右斜め上への変位を、「Ｘ＋、Ｙ＋（同時変位）」と、次の左への変位を「Ｘ−（Ｙ０）」と、更に右斜め下への変位を「Ｘ＋、Ｙ−（同時変位）」、最後の上への変位を「Ｙ＋（Ｘ０）」と特定して、このパターンの振り動作を「赤」に関連付けてメモリに記憶する。その後、電源２２をオフにして、ディップスイッチを通常の「００００」に戻した上で、電源２２をオンして再起動すると、以降、発光色変更手段２８は、このようにして発光色学習手段３０によって学習された固有の振り動作（図６に示す振り動作）があった場合に複数の発光色のうち当該振り動作に対応する発光色（上記の場合には、「赤」）に変更する。なお、この場合、使用者が行った振り動作が、既に他の発光色への変更を特定するための振りパターンと重複している場合には、その旨を警告して、あるいは、学習を無効として、他の振り動作への変更を促すことができる。
【００５２】
（１１.省電力手段）
また、本発明においては、中央処理部２４に、図３に示すように、センサー１６が所定時間を経過してもライト本体１２の変位を検出しない場合には、光源１４を消灯させる省電力手段３４をも更に設けることができる。この場合、省電力手段３４は、センサー１６が変位を検出しない場合に作動する図示しない静止タイマーによって、例えば、１２０秒等の予め設定された時間が経過したかを判定し、経過した場合には光源２２を消灯させて省電力モードとする。これにより、無駄な発光を防止して、電源２２の消耗等を抑制して、長時間にわたって適正に使用することができる。一方、この省電力モードは、センサー１６が変位を検出した場合、又は、電源２２が操作によってオフとされた場合に解除されて、通常時に戻る。
【００５３】
（１２.全体の処理）
以上の携帯型ライト１０の動作のフローチャートを図７に示す。この図７に示すように、携帯型ライト１０の電源２２をオンにした場合、発光色学習手段３０のディップスイッチが「００００」であるかを判断し、「００００」である場合には、設定に変更はないため、通常通りの発光（前回オフ時の発光色）で発光する。その後、静止タイマーによって、設定された所定時間（ｎ秒間）動作がないことが確認された場合には、省電力モードとして、光源１４を消灯させる。
【００５４】
一方、発光色学習手段３０のディップスイッチが「００００」以外の設定である場合、まずは、「１１１１」であるかを判定して、「１１１１」であれば初期状態にリセットし、それ以外の場合には、即ち、使用者が、関連付けるべき振り動作の変更の意思をもって、予め特定の発光色を指定していた場合には、トリガーボタン３２Ａが押し下げられている間の振り動作をセンサー１６により検出してメモリに記憶することにより、特定の発光色を指定した任意の振り動作に関連付けることができる。
【産業上の利用可能性】
【００５５】
本発明は、例えば、イベントやライブの会場で参加者、観覧者が使用するペンライトとして、また、パトロールや交通誘導等の際に使用することができる小型の携帯型ライトとして、広く適用することができる。
【符号の説明】
【００５６】
１０  携帯型ライト
１２  ライト本体
１４  光源
１６  センサー
１８  把持部
２０  透光部
２２  電源
２４  中央処理部
２６  電源スイッチ
２８  発光色変更手段
３０  発光色学習手段
３１  スイッチ
３２  モード切替手段
３２Ａ  トリガーボタン
３２Ｂ  トリガースイッチ
３４  省電力手段
【図１】
2016004690.tif 000003
【図２】
2016004690.tif 000004
【図３】
2016004690.tif 000005
【図４】
2016004690.tif 000006
【図５】
2016004690.tif 000007
【図６】
2016004690.tif 000008
【図７】
2016004690.tif 000009